(57)【要約】【課題】圧入により対象物に固定された機能パーツはそれを抜き差し調整するときに手指で外すことが出来ず、またペンチなどでつまむと滑ったり傷ついたりしてしまい、抜き差し交換調整作業に支障が有った。【解決手段】圧入によって対象物に固定された機能パーツを付け外しする為に、先端部にすり割りにより分断される１又は複数片の掴み片を有し、掴み片の内側には対象物の形状に合った掴み部を形成し外周面にはテーパーを設け、掴み部に対象となる機能パーツを内嵌めした状態でチャックおけるテーパー部に対し締めこみ作用を持つ受けボディーを押し込み、前記掴み片寸法を小さくして機能パーツの保持状態を維持しつつ、その状態で機能パーツを対象物に対して抜き差しを行うことで圧入された機能パーツを滑らせること無く脱落させず確実に抜き差しできる。          【選択図】  図１
2017113818.tif 000002
【特許請求の範囲】
【請求項１】
圧入によって対象物に固定された機能パーツ、一例としてキャブレターのジェットなどを付け外しする工具であって、チャック本体と、前記チャックと外嵌めされる受けボディーとを具える工具であり、前記チャックの先端にはその先端部にすり割りにより分断される一又は複数片の掴み片を有し、掴み片の内側には対象物の形状に合った掴み部を形成し外周面にはテーパー面を設け、一方受けボディーは前記チャック本体のテーパー面に接触する締めこみ作用部を有し前記チャック本体における掴み部に対象となる機能パーツを内嵌めした状態でチャック本体におけるテーパー部に対し受けボディーの締めこみ作用部を押し込み、前記掴み寸法を小さくして機能パーツの保持状態を維持しつつ、その状態でチャック本体を抜き差しすることで機能パーツを対象物に対して抜き差しを行うようにしたことを特徴とする圧入パーツ抜き差し工具            
【請求項２】
前記チャックの掴み部の反対側の端部に締結ネジが設けられ、受けボディーを介してそのネジに螺号する内ネジを有するナットハンドルで締めこむことで受けボディーの押し込み力をさらに強くチャックに押しつけチャックの掴み力を増す事の出来ることを特徴とする請求項１記載の圧入パーツ抜き差し工具
【発明の詳細な説明】
【技術分野】
【０００１】
この発明は、圧入により固定された機能パーツ、一例として自動車用スポーツキャブレターの燃料濃度を調整する部品である圧入方式ジェットなどを交換する圧入パーツ抜き差し工具  に関する。
【背景技術】
【０００２】
対象物に取り付けられ流量調整を行ったり、開閉を調整するなどの機能パーツは、調整の為に頻繁に抜き差しされるがその固定にネジで締めつけるタイプのものと圧入で固定するタイプのものとが有る。ネジで締めつけるものはその頭部に６角や＋、−形状がありそれぞれの工具で外す事が可能であるが、圧入で固定するものは回す為の形状が無い場合が多く、また有ったとしても回しても引き抜く方向に作用する力が無いので引き抜くことが出来ない。
【０００３】
圧入された機能パーツ、以下一例として自動車用スポーツキャブレター、特に双胴式キャブレターは図５で示されるものであるが、図５に示される燃料濃度調整用パーツである１０や１１等のジェットが圧入で１２のエマルジョンチューブに固定されているタイプのものは、その取り外し時に手指では引き抜けないため従来は図４に代表的に示される２０のペンチのような汎用ハンドツールで掴んで外していた。 
【発明の概要】
【発明が解決しようとする課題】
【０００４】
しかしながら、以上の技術によれば、対象物に圧入された機能パーツに対して工具２０はぴったりと掴むことができず滑りやすく外れなかったり、また工具２０が滑ったときに工具２０がジェットを削る為に破損してしまうことが多かった。  また掴み方が不安定でずれることで機能パーツを落として紛失する危険がある。そこで、この考案は、対象物に圧入された機能パーツの抜き差し時滑りにくく、機能パーツが破損しにくく、紛失しないように保持できる工具  を提供することを課題とする。
【課題を解決するための手段】
【０００５】
以上の課題を解決するために、本発明は、図１に従がって説明すると、１チャック本体と、前記１チャックと外嵌めされる２受けボディーとを具える工具であり、前記１チャックの先端にはその先端部に１ｃで示すすり割りにより分断される一又は複数片の掴み片を有し掴み片の内側には対象物の形状に合った掴み部を形成し外周面には１ａで示されるテーパー面を設け、一方２受けボディーは前記１チャック本体の１ａで示すテーパー面に接触する締めこみ作用部２ａを有し前記１チャック本体における１ｃ掴み部に対象となる機能パーツを内嵌めした状態で１チャック本体における１ａテーパー部に対し２受けボディーの２ａ締めこみ作用部を押し込み、前記１ｃの掴み寸法を小さくして機能パーツの掴み保持状態を維持しつつその状態で１チャック本体を抜き差しすることで機能パーツを対象物に対して抜き差しを行うようにしたことを特徴とする圧入パーツ抜き差し工具である。  
【０００６】
また、本発明は１チャックが２受けボディーを通過した後端には雄ネジ１ｂが設けられ、同じく雌ネジ３ａが内周に設けられた３ナットハンドルを締めることでより１チャックの挟着力を増すことが出来ると共に、３ナットハンドルを緩めた状態で手で押すことにより１チャックを２受けボディーで押し込んだ際のテーパーによる自己保持状態を解除できることを特徴とする圧入パーツ抜き差し工具である。
【発明の効果】
【０００７】
本発明によれば、圧入された機能パーツ、例えば自動車用スポーツキャブレターの燃料濃度調整用ジェット等の交換時、滑って外れなかったり、傷が付いたりすることが減少する。
【０００８】
また、１チャックに設けた１ａテーパー角度と２受けボディー押し込み部の接触面積を加減することで自己保持機能を発生させることにより常にチャックが対象となる機能パーツを掴んだ状態を保持するため抜き差し作業途中で対象となる機能パーツが脱落紛失する事が防げる。
【図面の簡単な説明】
【０００９】
【図１】本発明の一実施形態を示す圧入パーツ抜き差し工具の斜視図
【図２】同圧入パーツ抜き差し工具の断面図
【図３】同実際に使用するときの参考断面図
【図４】従来技術を示す斜視図である。
【図５】この発明の工具を使用する対象物の圧入機能パーツの              一例であるスポーツキャブレター断面図。
【発明を実施するための形態】
【００１０】
以下、本発明の実施形態を図１〜図５に基ずいて説明する。
【００１１】
図１においては圧入された機能パーツ、例えばキャブレターのジェットなどを掴む為にジェットとぴったりと勘合する先端形状１ｃを持つ１チャックと、チャックの１ａのテーパーを受ける２受けボディと、３ナットハンドルで構成される。
【００１２】
この実施形態によれば、圧入された機能部品たとえばキャブレターのジェットなどの形状に沿った先端部にすり割りにより分断される一又は複数片の掴み片を有し、受けボディーでテーパーを押し込みつつ収縮させることでチャック掴み部を径方向に収縮させ掴み力を増強する事が出来る構造としている。
【００１３】
この時１チャックの１ａテーパ面の角度と２受けボディーの２ａテーパーで接触する面積を工夫することで適度な掴み力と摩擦力を得ることが出来、尚かつテーパーのクサビ作用で掴んだ状態で保持できる自己保持効果を得られる形状にしている。
【００１４】
また１チャックの後端部には１ｂ雄ネジが設けて有り、螺合する３ａ雌ネジを内周に持つ３ナットハンドルで締めこむことで２受けボディをさらに強く１チャックに対して押すことができる。これらにより機能パーツをさらに強力に掴むことが出来るため機能パーツを滑らず変形させず簡単に引きぬくことが出来る。
【００１５】
先に述べた自己保持効果で対象物である圧入機能パーツを掴んだままにしておくことが出来るが、これを解除するときは３ナットハンドルを緩めて受け２ボディーとの間に隙間を設けた状態で３ナットハンドルの後部を押すことで簡単に解除できるようなテーパー角度と接触面積を設けている。
「他の実施形態」
図１の実施形態では、１チャックの機能パーツ掴み部形状は円筒形
で有るが、他の実施形態では機能パーツの形状に合わせてさまざまに変化したものでも良い。
【符号の説明】
【００１６】
１  チャック
１ａチャックテーパー面
１ｃチャック掴み部  
２  受けボディー
２ａ受けボディー押し込み部
３  ナットハンドル
【図１】
2017113818.tif 000003
【図２】
2017113818.tif 000004
【図３】
2017113818.tif 000005
【図４】
2017113818.tif 000006
【図５】
2017113818.tif 000007